(57)【要約】【課題】基盤上に固定されているシリンダの、外力による位置ずれを防止し、テープ走行の安定化を実現する磁気記録再生装置を提供する。【解決手段】カセットから引き出されたテープ状媒体が所定の角度巻回され回転シリンダーと固定シリンダーとから構成される略円筒形のシリンダー２と、主平面上にシリンダー２と、テープ状媒体をシリンダー２に巻回させて走行させる機構とが配されている基盤１とを備えた磁気記録再生装置であって、シリンダー２は、基盤１上の所定位置に位置決めされ、基盤１の裏面側からバネ６を介在させてネジ５ａ〜５ｃで固定され、バネ６は、シリンダー２の側面に弾性変形させて当接させ、シリンダー２の径方向に付勢力を与える第２のバネ部６ｄを備えている。【選択図】図１
2007200511.tif 000002
【特許請求の範囲】
【請求項１】
カセットから引き出されたテープ状媒体が所定の角度巻回され、前記テープ状媒体に対して情報信号を記録再生可能なヘッドを備えた回転シリンダーと、前記回転シリンダーに同軸に配された固定シリンダーとから構成される、略円筒形のシリンダーと、
主平面上に、前記シリンダーと、前記テープ状媒体を前記シリンダーに巻回させて走行させる機構とが配されている基盤とを備えた磁気記録再生装置であって、
前記シリンダを前記基盤に対して所定の位置に位置決めする係合部と、
前記シリンダを前記基盤に固定する固定部材とを備え、
前記シリンダを前記回転シリンダーの回転軸に対して垂直方向に付勢する付勢部材を備えていることを特徴とする磁気記録再生装置。
【請求項２】
前記シリンダーは、前記基盤上の所定位置に位置決めされ、前記基盤の裏面側から弾性部材を介在させてネジで固定され、
前記弾性部材は、前記固定シリンダーの側面に弾性変形して当接し、前記固定シリンダーの径方向に付勢力を与える第２の弾性部を備えている請求項１記載の磁気記録再生装置。
【請求項３】
前記弾性部材は、さらに、
前記ネジのフランジと前記基盤との間に配され、前記シリンダーを前記基盤側に付勢させる第１の弾性部を備えている請求項２記載の磁気記録再生装置。
【請求項４】
前記第１の弾性部と前記第２の弾性部は、一体に構成されている請求項３記載の磁気記録再生装置。
【請求項５】
前記第１の弾性部と前記第２の弾性部は、各々板バネで構成されている請求項３記載の磁気記録再生装置。
【発明の詳細な説明】
【技術分野】
【０００１】
本発明は、回転磁気ヘッドが取付けられたシリンダに磁気テープ巻き付けて走行させて、磁気ヘッドとテープの摺接をはかり、信号の記録再生を行うビデオテープレコーダーのような磁気記録再生装置に関する。
【背景技術】
【０００２】
近年、カセット式ビデオテープレコーダーのような磁気記録再生装置は小型・高密度記録化が進んでいる。
【０００３】
以下、従来の磁気記録再生装置について説明する。
【０００４】
特許文献１の図２に示すように、従来の磁気記録再生装置においては、シリンダ５は、基盤６に対して、板バネ９を介してネジ８で取付けられている。
【０００５】
一般に、シリンダを基盤に対して位置決めさせる際は、基盤においてシリンダが固定される部位に凸部を設け、シリンダの底面に前記凸部が嵌合可能な穴部を設け、凸部と穴部とを嵌合させることによって、位置決めすることができる。
【特許文献１】特開平１１−３２８６３８号公報
【発明の開示】
【発明が解決しようとする課題】
【０００６】
しかしながら特許文献１に記載の構成では、基盤の凸部の外周面とシリンダに設けられた穴部内面との間には、若干の間隙を設けなければ、シリンダを基盤に組み付けることは不可能である。このような間隙があるため、装置の落下や振動等に基づき印可される外力によって、シリンダと基盤との位置関係にずれが発生する可能性が高い。
【０００７】
一般に、基盤に対してシリンダや走行系ポストを位置決めさせる際は、シリンダを基盤に装着しネジ止めした状態で、テープ高さを規制する走行系ポストのフランジ高さや走行系ポストの傾き等を、シリンダの基盤に対する相対位置に合わせて、装置一台づつ調整される（以下、このような調整を「走行調整」と呼ぶ。また、走行調整を行った状態を「走行調整状態」と呼ぶ）。走行調整は、高い精度が要求されるため、装置に印可される外力によってシリンダと基盤の位置関係に走行調整状態からずれが発生すると、磁気テープや走行系ポストに対する磁気ヘッドの相対位置がずれてしまい、信号の記録再生が不可能になったり、テープにダメージが発生してしまうという問題を有していた。
【０００８】
本発明は、上記従来の問題点を鑑み、基盤上に固定されているシリンダの、外力による位置ずれを防止し、高精度の走行調整状態を維持することができ、テープ走行の安定化を実現する磁気記録再生装置を提供することを目的とする。
【課題を解決するための手段】
【０００９】
上記課題を解決するために本発明の磁気記録再生装置は、カセットから引き出されたテープ状媒体が所定の角度巻回され、前記テープ状媒体に対して情報信号を記録再生可能なヘッドを備えた回転シリンダーと、前記回転シリンダーに同軸に配された固定シリンダーとから構成される、略円筒形のシリンダーと、主平面上に、前記シリンダーと、前記テープ状媒体を前記シリンダーに巻回させて走行させる機構とが配されている基盤とを備えた磁気記録再生装置であって、前記シリンダを前記基盤に対して所定の位置に位置決めする係合部と、前記シリンダを前記基盤に固定する固定部材とを備え、前記シリンダを前記回転シリンダーの回転軸に対して垂直方向に付勢する付勢部材を備えている。
【発明の効果】
【００１０】
以上のように本発明は、装置の落下や振動等による外力によって発生する、シリンダと基盤との位置関係のずれを低減あるいは防止することができる。よって、高精度の走行調整状態を維持することができ、テープ走行を安定化させることができる。
【発明を実施するための最良の形態】
【００１１】
本発明の磁気記録再生装置は、前記シリンダーは、前記基盤上の所定位置に位置決めされ、前記基盤の裏面側から弾性部材を介在させてネジで固定され、前記弾性部材は、前記固定シリンダーの側面に弾性変形して当接し、前記固定シリンダーの径方向に付勢力を与える第２の弾性部を備えている。
【００１２】
また、前記弾性部材は、さらに、前記ネジのフランジと前記基盤との間に配され、前記シリンダーを前記基盤側に付勢させる第１の弾性部を備えた構成としてもよい。
【００１３】
また、前記第１の弾性部と前記第２の弾性部は、一体に構成してもよい。このような構成によれば、部品点数を削減し、コストダウンすることができる。また、組み立てを容易に行うことができる。
【００１４】
また、前記第１の弾性部と前記第２の弾性部は、各々板バネで構成してもよい。このような構成によれば、シリンダーの下側部分を薄型化することができ、装置全体を薄型化することができる。
【００１５】
（実施の形態１）
図１は、実施の形態１におけるシリンダ取付け部を底面側から見た平面図である。図２Ａは、図１におけるＡ−Ａ部の矢視断面図である。図２Ｂは、図１におけるＢ−Ｂ部の矢視断面図である。図２Ｃは、図１におけるＣ−Ｃ部の矢視断面図である。なお、図１は、図２における矢印Ｄ方向から見た矢視断面である。また、図１は、基盤１の裏面側の平面図であり、シリンダー２は目視できない位置に配置されているため、仮装線で表記した。また、図２Ａ〜図２Ｃにおいて、シリンダは一部のみ断面表記した。
【００１６】
図１及び図２Ａ〜図２Ｃにおいて、基盤１は、例えばアルミニウムで成型されたアルミダイキャストシャーシで構成され、成型の段階でシリンダ２や走行系ポストを固定可能な穴部や突起部が成型される。基盤１の主面上には、シリンダー２や、テープ状媒体を走行させるキャプスタンやピンチローラや各種ポスト類から構成される走行系メカニズムや、テープ状媒体が内蔵されたカセットを装置に着脱させるメカニズムなどが、配置されている。
【００１７】
シリンダ２は、基盤１に固定される固定シリンダと、固定シリンダの上部において回転自在に軸支された回転シリンダとから構成され、各々同軸に配されている。なお、本実施の形態では、説明の便宜上、図面には固定シリンダのみを表記している。また、回転シリンダには、磁気テープ（図示せず）に対して映像音声信号などの各種情報信号を記録再生可能な磁気ヘッド８が固定されている。また、シリンダ２の底部には、ネジ５ａ〜５ｃが螺合可能なネジ穴２ａ〜２ｃが設けられている。また、シリンダ２の底部の略中央には、円筒部２ｄが設けられている。
【００１８】
凸部３ａ、３ｂは、基盤１の上面において、互いに対向する２カ所に設けられ、シリンダ２を位置決めするものである。なお、本実施の形態では、凸部３ａ及び３ｂは、基盤１上に対向して２カ所設けられているが、個数や配置についてはこれに限定されるものではない。
【００１９】
穴部４ａ，４ｂは、シリンダ２の底面に設けられ、凸部３ａ及び３ｂが穴部４ａ、４ｂに嵌合されることにより、シリンダ２の基盤１に対する位置決めが行われる。なお、凸部３ａ及び３ｂと穴部４ａ及び４ｂとで係合部を構成している。
【００２０】
ネジ５ａ、５ｂ、５ｃ（固定部材）は、バネ６の孔部と、基盤１の穴部１ａ、１ｂ、１ｃとを貫通して、シリンダ２の底面に形成されているネジ穴２ａ〜２ｃに螺合される。これにより、シリンダ２が基盤１に取付けられる。
【００２１】
回転軸７は、シリンダ２における回転シリンダの回転中心であり、磁気ヘッド８の移動軌跡の中心でもある。カセット（図示せず）より引き出された磁気テープ（図示せず）は、シリンダ２に所定の角度巻回され、磁気ヘッド８との間で信号の授受が行われる。
【００２２】
バネ６（弾性部材）は、図１に示すように、略リング状の連結部６ｅの周囲３カ所に一体的に第１のバネ部６ａ〜６ｃと、内周部１カ所に一体的に第２のバネ部６ｄが設けられている。また、バネ６の略中央に形成された略円形の開口部６ｆは、少なくともシリンダ２の突出部２ｄを挿通可能な内径を有している。
【００２３】
第１のバネ部６ａ，６ｂ、６ｃ（第１の弾性部）は、図２Ｂに示すようにシリンダ２の円筒部２ｄの周囲に配され、各バネ部は対向する２カ所の板バネによって弾性力を発生させている。このように構成された第１のバネ部６ａ〜６ｃは、シリンダ２を基盤１に対して回転軸７の軸方向に付勢している。また、第１のバネ部６ａ〜６ｃには、ネジ５ａ〜５ｃを挿通可能な孔部が形成されている。
【００２４】
第２のバネ部６ｄ（付勢部材、第２の弾性部）は、図２Ａに示すように連結部６ｅから内側に向かって突出して設けられ、回転軸７の軸方向に対して略直交方向に弾性変形可能である。このような第２のバネ部６ｄは、その先端近傍において、シリンダ２の円筒部２ｄを回転軸７に対して略垂直な矢印Ｅ方向に付勢されている。
【００２５】
ネジ５ａ、５ｂ、５ｃは、バネ６と孔部１ａ〜１ｃを挿通して、シリンダ２底面のネジ穴２ａ〜２ｃに螺合させることにより、シリンダ２とバネ６とを基盤１に固定させることができる。また、ネジ５ａ〜５ｃは、一端部にネジ穴２ａ〜２ｃに螺合可能なネジ部が設けられ、他端部にバネ６が脱落するのを防止するフランジ部が設けられている。ネジ部とフランジ部との間には、円筒部が設けられている。また、ネジ５ａ〜５ｃと基盤の穴部１ａ〜１ｃとの間には、十分な隙間があり、これに対して凸部３ａ及び３ｂと穴部４ａ及び４ｂとの間には、若干の隙間Ｌ１しかなく、シリンダ２は基盤１に対して凸部３ａ、３ｂと穴部４ａ、４ｂの嵌合によって、位置決めされる。
【００２６】
上記のように構成されているシリンダ２は、基盤１に対して以下の手順で固定される。
【００２７】
図１に示すように、まず、基盤１の表面側において、凸部３ａ及び３ｂを穴部４ａ及び４ｂに挿入して、シリンダ２を基盤１に対して位置決めされる。図２Ｃに示すように、凸部３ａ及び３ｂの外径は、穴部４ａ及び４ｂの内径よりも小さいため、凸部３ａ及び３ｂを穴部４ａ及び４ｂに挿入する作業は、容易に行うことができる。シリンダ２を基盤１上に位置決めさせる時、シリンダ２の円筒部２ｄが基盤１の開口部１ｄに挿入される。
【００２８】
次に、基盤１の裏面側から、円筒部２ｄにバネ６の開口部６ｆを遊着し、ネジ５ａ〜５ｃによって、シリンダ２とバネ６とを基盤１に固定する。固定の際、図２Ｂに示すように、ネジ５ａ〜５ｃは、バネ６に設けられた孔と基盤１の孔部１ａ〜１ｃとを挿通させた後、第１のバネ部６ａ〜６ｃを弾性変形させながら、シリンダ２の底面に設けられたネジ穴２ａ〜２ｃに螺合される。また、図２Ａに示すように、第２のバネ部６ｄは、矢印Ｅの逆方向へ弾性変形しながら、先端近傍が円筒部２ｄの側面に当接される。
【００２９】
これにより、シリンダ２は、凸部３ａ及び３ｂと穴部４ａ及び４ｂによって回転方向の位置決めがなされ、第１のバネ部６ａ〜６ｃによる弾性力によって回転軸７の軸方向の位置決めがなされて、基盤１上に固定される。
【００３０】
以下、動作について説明する。
【００３１】
図３は、本実施の形態の磁気記録再生装置が正常状態（走行調整状態）における、図１の矢印Ａ方向から見た矢視図である。なお、図３において、説明の便宜上、隙間９を拡大して描いている。また、ネジ５ａ、５ｂ、５ｃの描画は省略されており、バネ６は第２のバネ部６ｄのみ図示している。また、図３は、基盤１の裏面側の平面図であり、シリンダー２は目視できない位置に配置されているため、仮装線で表記した。
【００３２】
図３に示すように、シリンダ２が第２のバネ部６ｄによって、矢印Ｂに示す方向に付勢されているため、凸部３ａ、３ｂと穴部４ａ、４ｂとは常に穴部の片側４ａ’、４ｂ’で接するようになっている。これにより、シリンダ２は、基盤１上において図１の矢印Ｂ方向への位置決めがなされている。磁気記録再生装置の走行調整を行う際は、シリンダ２を図３に示す状態にして走行調整が行われる。
【００３３】
次に、図４は、本実施の形態の磁気記録再生装置に対して、衝撃や振動などの外力が加わった状態における、図１の矢印Ａ方向から見た矢視図である。なお、図４において、ネジ５ａ、５ｂ、５ｃの図示は省略されており、バネ６は第２のバネ部６ｄのみ図示している。また、図４は、基盤１の裏面側の平面図であり、シリンダー２は目視できない位置に配置されているため、仮装線で表記した。
【００３４】
上記のような磁気記録再生装置に対して、軽い衝撃や振動等の外力が生じると、シリンダ２は、図３に示す状態から矢印Ｆに示す方向へ水平に変位しようとする力が働く可能性がある。しかし、シリンダ２は、第２のバネ部６ｄによって矢印Ｅに示す方向へ付勢されているため、矢印Ｆに示す方向へ変位せず、図３に示す状態を維持することができる。
【００３５】
また、磁気記録再生装置に対して、落下などのように大きな衝撃や振動等の外力が生じると、シリンダ２は、図３に示す状態から矢印Ｃに示す方向へ水平に変位し、図４に示す状態になる可能性がある。しかし、シリンダ２は、第２のバネ部６ｄによって矢印Ｅに示す方向へ付勢されているため、図３に示す状態へ復帰される。
【００３６】
以上のように本実施の形態によれば、回転シリンダの回転軸７に対して垂直方向にシリンダ２を付勢する第２のバネ部６ｄ（付勢手段）を備えることによって、装置の落下、振動等による外力によって発生するシリンダ２と基盤１との位置関係のずれを防止することができる。すなわち、第２のバネ部６ｄによって、シリンダ２が外力によって走行調整状態での基盤１への装着位置からずれることを防止することができる。よって、テープ走行の安定化を実現することができる。
【００３７】
また、第１のバネ部６ａ〜６ｃと第２のバネ部６ｄは、互いに一体に構成されていることにより、部品点数を削減し、コストダウンすることができる。また、第１のバネ部６ａ〜６ｃと第２のバネ部６ｄとを、一回の工程で基盤１に装着できるので、組み立てを容易に行うことができる。
【００３８】
また、第１のバネ部６ａ〜６ｃと第２のバネ部６ｄは、各々板バネで構成されていることにより、シリンダー２の下側部分を薄型化することができ、装置全体を薄型化することができる。
【００３９】
なお、実施の形態１において、バネ６（第１のバネ部６ａ、６ｂ、６ｃ）は板バネで構成したが、コイルバネなど、他の弾性手段で構成してもよい。
【００４０】
また、第１のバネ部６ａ、６ｂ、６ｃは、必ずしも設ける必要はなく、少なくとも第２のバネ部６ｄを設けていれば本発明の効果を得ることができる。
【００４１】
また、バネ６の第１のバネ部６ａ〜６ｃと第２のバネ部６ｄとは、一体に構成したが、別部材で構成してもよい。
【００４２】
また、バネ６の第１のバネ部６ａ〜６ｃと第２のバネ部６ｄとは、板バネにて一体に構成されるとしたが、第１のバネ部６ａ〜６ｃが板バネで構成され、第２のバネ部６ｄがコイルバネで、各々別個に構成してもよい。
【００４３】
また、第１のバネ部６ａ〜６ｃは、連結部６ｅの周囲３カ所に配されているが、３カ所以下または以上の数個を配置させてもよい。
【００４４】
また、シリンダ２は、基盤１に対して、基盤１に設けられた凸部３ａ及び３ｂとシリンダ２に設けられた穴部４ａ及び４ｂとを嵌合させることによって位置決めされる構成としたが、基盤１に穴部を設け、シリンダ２に凸部を設けて、各々を嵌合させて位置決めする構成でもよい。
【００４５】
また、第２のバネ部６ｄは、シリンダー２の円筒部２ｄの側面に当接させる構成としたが、磁気テープが巻回される固定シリンダーの外面において、磁気テープの走行に干渉しない位置であれば、固定シリンダーにおける他の部位に当接させてもよい。
【産業上の利用可能性】
【００４６】
本発明の磁気記録再生装置は、回転ヘッドシリンダの取り付け構造に関するものであり、ビデオテープレコーダーなどに有用である。
【図面の簡単な説明】
【００４７】
【図１】本発明の実施の形態１における磁気記録再生装置のシリンダ取付け部を底面側（図１の矢印Ｄ方向に見た）から見た平面図
【図２Ａ】図１におけるＡ−Ａ部の矢視断面図
【図２Ｂ】図１におけるＢ−Ｂ部の矢視断面図
【図２Ｃ】図１におけるＣ−Ｃ部の矢視断面図
【図３】同実施の形態１における磁気記録再生装置のシリンダ取付け部の平面図（走行調整状態）
【図４】同実施の形態１における磁気記録再生装置のシリンダ取付け部の平面図（外力が生じた状態）
【符号の説明】
【００４８】
１  基盤
２  シリンダ
３ａ、３ｂ  凸部
４ａ，４ｂ  穴部
５ａ、５ｂ、５ｃ  ネジ
６  バネ
６ａ、６ｂ、６ｃ  第１のバネ部
６ｄ  第２のバネ部
６ｅ  連結部
【図１】
2007200511.tif 000003
【図２Ａ】
2007200511.tif 000004
【図２Ｂ】
2007200511.tif 000005
【図２Ｃ】
2007200511.tif 000006
【図３】
2007200511.tif 000007
【図４】
2007200511.tif 000008